(57)【要約】【課題】ＵＳＢ用コネクタを備え各種ホスト機器に接続できる携帯機器において、現状のホスト機器に何らの弊害なく接続可能にすること。【解決手段】互いにほぼ平行なふたつの主面とこのふたつの主面の端部に連なる側面とから外面を構成された筐体と、筐体のふたつの主面のいずれかの面に設けられたディスプレイと、筐体の前記側面に設けられ、挿抜の方向と垂直の断面が長辺と短辺と有する矩形であり、矩形の長辺方向にはみ出す筐体のはみ出し量に偏りがあってかつ矩形の短辺方向にはみ出す筐体のはみ出し量に偏りがあるように設けられたＵＳＢ用コネクタとを具備する。【選択図】図１
2005202564.tif 000002
【特許請求の範囲】
【請求項１】
互いにほぼ平行なふたつの主面と前記ふたつの主面の端部に連なる側面とから外面を構成された筐体と、
前記筐体の前記ふたつの主面のいずれかの面に設けられたディスプレイと、
前記筐体の前記側面に設けられ、挿抜の方向と垂直の断面が長辺と短辺と有する矩形であり、前記矩形の長辺方向にはみ出す前記筐体のはみ出し量に偏りがあってかつ前記矩形の短辺方向にはみ出す前記筐体のはみ出し量に偏りがあるように設けられたＵＳＢ用コネクタと
を具備することを特徴とする携帯機器。
【請求項２】
互いにほぼ平行なふたつの主面と前記ふたつの主面の端部に連なる側面とから外面を構成された筐体と、
前記筐体の前記側面に設けられ、挿抜の方向と垂直の断面が長辺と短辺と有する矩形であり、前記矩形の長辺方向にはみ出す前記筐体のはみ出し量に偏りがあってかつ前記矩形の短辺方向にはみ出す前記筐体のはみ出し量に偏りがあるように設けられたＵＳＢ用コネクタと、
前記筐体に設けられたＳＩＭを着脱するための部位と
を具備することを特徴とする携帯機器。
【請求項３】
前記ＵＳＢ用コネクタが、前記矩形の長辺方向にはみ出す前記筐体のはみ出し量の一方が４．０ｍｍ以下であってかつ前記矩形の短辺方向にはみ出す前記筐体のはみ出し量の一方が２．５ｍｍ以下であるように前記筐体の前記側面に設けられたことを特徴とする請求項１または２記載の携帯機器。
【請求項４】
前記ＵＳＢ用コネクタが、プラグ型であることを特徴とする請求項１または２記載の携帯機器。
【請求項５】
前記筐体に設けられたＳＩＭを着脱するための部位をさらに具備することを特徴とする請求項１記載の携帯機器。
【発明の詳細な説明】
【技術分野】
【０００１】
本発明は、コネクタを備えることで各種ホスト機器に接続可能な携帯機器に係り、特に、ＵＳＢ（universal serial bus）用コネクタを有する携帯機器に関する。
【背景技術】
【０００２】
近年、「いつでもどこでも」というユビキタス時代の到来に向けて、各種の携帯機器や携帯端末が開発されている。すでにメモリモジュールでは、どこでも気軽にパソコンに接続できるようにＵＳＢ用コネクタを有するものが市販されるようになってきている。今後、パソコンなどのホスト機器がさらに一般社会へ浸透することによって、ＵＳＢ用コネクタを有する携帯機器がユビキタス時代の一翼を担うものとして期待される。すなわち、従来のＵＳＢ用コネクタを有する機器は、パソコン周辺機器（例えばプリンタ）やメモリモジュールなどが主なものであったが、今後は各種機能の携帯機器がＵＳＢ用コネクタを有するようになるのは当然のなりゆきと思われる。
【０００３】
携帯機器が有する機能の基本は、各様のデータを保持し、そのデータを用いて特有の処理を行うことであるが、処理が複雑化することにより処理状況や処理結果を表示するディスプレイを備えることが携帯機器には不可欠になると考えられる。すなわちどれほど小さくても少なくともディスプレイを備えるだけの大きさが携帯機器として必要と考えられる。
【０００４】
一方、ＵＳＢ用コネクタはＵＳＢ規格によって定められたものであり、現在使用されているパソコンなどのホスト機器が有するＵＳＢ用コネクタはＵＳＢ規格に従う大きさ・構成になっている。現状の一般的にパソコンなどのホスト機器が有するＵＳＢ用コネクタは、並んでふたつ以上設けられている場合が多い。その並び方には、縦方向、横方向の２種類がある。
【０００５】
ディスプレイを備えた携帯機器は、ディスプレイがいかに小型化されても、その操作用のボタンなどを考慮するとメモリモジュールよりは全体として大型化する。このため、ホスト機器の一方のＵＳＢ端子にこのような携帯機器を接続すると、空間を遮って隣接する他方のＵＳＢ端子には他のＵＳＢ接続機器を接続できないという事態が考えられる。ホスト機器についてＵＳＢ端子の並びのピッチを広く設計変更すること自体は可能であるが、すでに広く流通・使用されているホスト機器ではこのような変更は事実上困難である。「いつでもどこでも」というユビキタスの概念をいち早く達成するにはすでに使用されているホスト機器をできるだけ活用するのが得策であり、弊害のないＵＳＢ用コネクタによる接続を実現することは重要である。
【０００６】
また、携帯機器に付随して使用され得るＩＣカードについては以下の状況がある。携帯機器は個人ユースの場合が多く、個人データを保持することが多い。この意味でセキュリティの確保が重要である。セキュリティ性を利用する形態として、携帯機器に付随して使用され得るＩＣカードをＩＤカードに用い、パソコンなどのＵＳＢ対応機器やネットワークへのアクセスする形態が注目されている。このようなＩＣカードのひとつとして、インターフェースに、ＩＳＯ７８１６−２、ＩＳＯ７８１６−３で規定される接触タイプのものとＵＳＢ規格によるものとを両者有するＩＣカードが開発されている（下記特許文献１）。
【０００７】
また、ネットワークアクセス用ＩＤモジュールとして、e-Tokenと呼ばれるものがある。ＩＣチップを内蔵し、ＵＳＢ規格の接触タイプインターフェースを有し、パソコンのＵＳＢ用コネクタに差し込んで使用する。わずらわしい操作を必要とせずネットワークセキュリティを確保したシステムに使用できる。このモジュールはドングルとも呼ばれ、例えば携帯電話のストラップやキーホルダに取り付けて携行できる利便性がある。
【０００８】
携帯電話の分野では、小型ＩＣカードであるＳＩＭ（subscriber identity module）、ＵＩＭ（ＵＳＩＭ）などのセキュリティＩＤモジュールが組み込まれ使われ始めている。ＵＩＭ（user identity module）は、携帯電話会社が発行する契約者情報を記録したものであり、携帯電話に組み込まれることにより利用者の識別を行う。ＵＩＭは、ＳＩＭの機能を拡張して規格化され、契約者情報のほかに、電話帳などのプライベート情報やクレジット決済用の個人識別情報などを暗号化して登録することもできる。このためＵＩＭは、ＵＳＩＭ（universal ＳＩＭ）とも呼ばれる。
【０００９】
ＳＩＭは、ＧＳＭ携帯電話サービスを利用する場合を目的に規格化されたものであるが、ＵＩＭでは、例えばアメリカのｃｄｍａ２０００携帯電話機に差し込んで国際ローミングサービスを受けるなどの用途が考えられている。ＳＩＭやＵＩＭ自体は既存技術で製造、発行処理が可能である。ＳＩＭ、ＵＩＭ（ＵＳＩＭ）は非常にセキュリティ性が高いことが特徴のひとつである。なお、本願では、ＳＩＭと記述することにより矛盾のない限りＵＩＭ（ＵＳＩＭ）を含む意味で用いる。
【特許文献１】特表２００２−５２５７２０号公報
【発明の開示】
【発明が解決しようとする課題】
【００１０】
本発明は、上記の状況を考慮してなされたもので、ＵＳＢ用コネクタを備え各種ホスト機器に接続できる携帯機器において、現状のホスト機器に何らの弊害なく接続可能な携帯機器を提供することを目的とする。
【課題を解決するための手段】
【００１１】
上記の課題を解決するため、本発明に係る携帯機器は、互いにほぼ平行なふたつの主面と前記ふたつの主面の端部に連なる側面とから外面を構成された筐体と、前記筐体の前記ふたつの主面のいずれかの面に設けられたディスプレイと、前記筐体の前記側面に設けられ、挿抜の方向と垂直の断面が長辺と短辺と有する矩形であり、前記矩形の長辺方向にはみ出す前記筐体のはみ出し量に偏りがあってかつ前記矩形の短辺方向にはみ出す前記筐体のはみ出し量に偏りがあるように設けられたＵＳＢ用コネクタとを具備することを特徴とする。
【００１２】
すなわち、携帯機器としての処理の複雑化に対応してディスプレイを有し、そのための大型化に対応してＵＳＢ用コネクタが特定の位置に配置されている。ＵＳＢ用コネクタは、筐体の側面に設けられており、挿抜の方向と垂直の断面が長辺と短辺を有する矩形である。そしてこの矩形の長辺方向にはみ出す筐体のはみ出し量に偏りがあり、また短辺方向にはみ出す筐体のはみ出し量にも偏りがある。このような２方向の偏りにより、この携帯機器がＵＳＢ用コネクタでホスト機器に接続されたとき、ホスト機器に備えられた他方のＵＳＢ用コネクタが遮られないようにする。これにより、この他方のＵＳＢ用コネクタには他の機器などを接続することができる。したがって、この携帯機器は、現状のホスト機器に何らの弊害なく接続することができる。
【００１３】
また、本発明に係る別の携帯機器は、互いにほぼ平行なふたつの主面と前記ふたつの主面の端部に連なる側面とから外面を構成された筐体と、前記筐体の前記側面に設けられ、挿抜の方向と垂直の断面が長辺と短辺と有する矩形であり、前記矩形の長辺方向にはみ出す前記筐体のはみ出し量に偏りがあってかつ前記矩形の短辺方向にはみ出す前記筐体のはみ出し量に偏りがあるように設けられたＵＳＢ用コネクタと、前記筐体に設けられたＳＩＭを着脱するための部位とを具備することを特徴とする。
【００１４】
すなわち、携帯機器として機能のひとつとしてＳＩＭを搭載可能とし、そのための大型化に対応してＵＳＢ用コネクタが特定の位置に配置されている。ＵＳＢ用コネクタは、筐体の側面に設けられており、挿抜の方向と垂直の断面が長辺と短辺を有する矩形である。そしてこの矩形の長辺方向にはみ出す筐体のはみ出し量に偏りがあり、また短辺方向にはみ出す筐体のはみ出し量にも偏りがある。このような２方向の偏りにより、この携帯機器がＵＳＢ用コネクタでホスト機器に接続されたとき、ホスト機器に備えられた他方のＵＳＢ用コネクタが遮られないようにする。これにより、この他方のＵＳＢ用コネクタには他の機器などを接続することができる。したがって、この携帯機器は、現状のホスト機器に何らの弊害なく接続することができる。
【発明の効果】
【００１５】
本発明によれば、現状のホスト機器におけるＵＳＢ用コネクタの配置を考慮して携帯機器としての形態を決めたので、ＵＳＢ用コネクタを用いて現状のホスト機器に何らの弊害なく接続可能な携帯機器を提供できる。
【発明を実施するための最良の形態】
【００１６】
本発明の実施態様として、前記ＵＳＢ用コネクタは、前記矩形の長辺方向にはみ出す前記筐体のはみ出し量の一方が４．０ｍｍ以下であってかつ前記矩形の短辺方向にはみ出す前記筐体のはみ出し量の一方が２．５ｍｍ以下であるように前記筐体の前記側面に設けられている、とすることができる。このようなサイズに収まっている場合には、ホスト機器の他方のＵＳＢ用コネクタに接続を行う対応コネクタにおいて、その側面を取り囲む樹脂などのための空間をも確保することができる。したがって、余裕のあるホスト機器との接続が可能である。
【００１７】
また、実施態様として、前記ＵＳＢ用コネクタはプラグ型である、とすることができる。プラグ型である場合には、現状のホスト機器のＵＳＢ用コネクタがレセプタクルであることからこの携帯機器をケーブルなしで直接にホスト機器に接続することができる。
【００１８】
また、本発明の実施態様として、前記筐体に設けられたＳＩＭを着脱するための部位をさらに具備するようにしてもよい。この携帯機器を例えばＳＩＭ用のリーダ・ライタとして構成しさらにディスプレイを備えるようにするものである。
【００１９】
以上を踏まえ、以下では本発明の実施形態を図面を参照しながら説明する。図１は、本発明の一実施形態に係る携帯機器の構成を示す図である。図１（ａ）は上面図、図１（ｂ）は、図１（ａ）の矢視Ａ−Ａａ方向の側面図である。図１に示すように、この携帯機器１は、ＵＳＢ用コネクタ１３を備えており、さらにディスプレイ１１、操作ボタン１２を有する。全体としての外面は筐体１０により構成される。
【００２０】
ＵＳＢ用コネクタ１３はプラグ型であり、ＵＳＢ用コネクタ（レセプタクル型）を備えた現状のホスト機器にケーブルなしでこのまま接続することができる。ディスプレイ１１は、この携帯機器１での処理状況や処理結果を含むこの携帯機器１が保持する情報を表示するものである。操作ボタン１２は、利用者がこの携帯機器１を利用するときに操作入力を行うボタンである。なお、ディスプレイ１１は、例えばドットマトリクスタイプの反射型液晶を採用できる。文字に限らず図形表示させてもよい。また、液晶タイプに限らず、有機ＥＬや電子ペーパーなど薄型で消費電力の少ない表示装置を採用するようにしてもよい。
【００２１】
筐体１０とディスプレイ１１、操作ボタン１２、ＵＳＢ用コネクタ１３の各形状および配置位置について説明すると、以下のようになっている。筐体１０にはほぼ平行なふたつの主面がありこれらの主面の端部に連なって側面が形成される。ほぼ平行としているのは、面として凹凸や多少の傾きがあってもよいことを示すためである。側面についても、主面の端部に連なっていることが条件ではあるが、丸みをつけた場合など、主面の端部との境界がはっきりしていなくてもよい。なお、主面の平面形状は、図１（ａ）に示すような矩形状に限られない。例えば特定のキャラクターをかたどった形状なども考えられる。
【００２２】
ディスプレイ１１は、図示するように、筐体１０の主面のうちひとつの面に設けられる。操作ボタン１２は、筐体１０上の操作しやすい位置に設けられる。この実施形態ではディスプレイ１１の右側に縦に並んで３つ設けている。このような例に限らず、筐体１０の側面などに設けてもよい。
【００２３】
ＵＳＢ用コネクタ１３は、筐体１０の側面に設けられている。ＵＳＢ用コネクタ１３は、その挿抜方向と垂直の断面が矩形になっている（図１（ｂ））。ＵＳＢ用コネクタ１３と筐体１０との関係は、図１（ｂ）に詳しく示されるように、断面矩形の長辺方向にはみ出す筐体１０のはみ出し量Ｘ１、Ｘ２に偏りがあり、かつ断面矩形の短辺方向にはみ出す筐体１０のはみ出し量Ｙ１、Ｙ２にも偏りがあるような関係になっている。このようなＵＳＢ用コネクタ１３と筐体１０との関係は重要であり、筐体１０が全体としてどのような形状であっても同様の関係にＵＳＢ用コネクタ１３は設けられる。
【００２４】
図２は、本発明の別の実施形態に係る携帯機器の構成を示す図である。図２（ａ）は上面図、図２（ｂ）は、図２（ａ）の矢視Ｂ−Ｂａ方向の側面図である。図２において、図１に示したものと同一の構成要素には同一番号を付してある。この実施形態の携帯機器１Ａでは、図１に示したものとＵＳＢ用コネクタ１３の取りつけ位置が異なる。しかしながら、図２（ｂ）に示すように、ＵＳＢ用コネクタ１３の断面矩形の長辺方向にはみ出す筐体１０のはみ出し量Ｘ１、Ｘ２に偏りがあり、かつ断面矩形の短辺方向にはみ出す筐体１０のはみ出し量Ｙ１、Ｙ２にも偏りがある関係になっている、という点については同様である。
【００２５】
図３は、図１に示した実施形態の携帯機器１の内部構成例を示す図である。図４（ａ）は図１（ａ）と同方向にみた上面図、図４（ｂ）は正面図である。図３においてすでに説明したものと同一の構成要素には同一番号を付してある。
【００２６】
ＵＳＢ用コネクタ１３は基板３１の四隅のひとつ付近に設けられ、基板３１には電子部品３２が実装される。このようなＵＳＢ用コネクタ１３の基板３１への実装により、基板３１上に生じるデッドスペースは必然的に少ない。よって、電子部品３２の実装効率を高めるように部品レイアウトをすることができる。これは携帯機器１の全体としての小型化にも都合がよい。
【００２７】
次に、以上説明した本発明の実施形態に係る携帯機器１、１Ａの形状について、ホスト機器との関係に基づきその理由を説明する。図４は、現在一般に使用されているパソコンのＵＳＢ用コネクタの配置例を示す図である。図４（ａ）は、パソコンの一例としてのフェース面の構成を示し、図４（ｂ）は、ＵＳＢ用コネクタの取りつけ部を拡大して示すものである。図４（ｃ）は、図４（ｂ）に示すＵＳＢ用コネクタ取りつけ部とは異なるＵＳＢ用コネクタ取りつけ部の例を示すものである。
【００２８】
図４（ａ）に示すように、パソコン４のフェース面には、ＤＶＤ／ＣＤドライブ４１、ＦＤドライブ４２、電源ボタン４３などのボタン類、パイロットランプ４４などのインジケータと並んで、ＵＳＢ用コネクタ取りつけ部４５が設けられていることが多くなっている。このようなフェース面へのＵＳＢ用コネクタ取りつけ部４５への設置により、これが裏面に設けられている場合に比較してＵＳＢ対応機器との接続が円滑になる。図４（ｂ）に示す場合は、コネクタ取りつけ部４５にＵＳＢ用コネクタ（レセプタクル）４５ａ、４５ｂがふたつ並んで設けられている。ＵＳＢ用コネクタ４５ａ、４５ｂは、重層的な配置（以下、便宜上「縦型」という。）である。
【００２９】
これに対して、図４（ｃ）に示すように、ＵＳＢ用コネクタ（レセプタクル）５５ａ、５５ｂが横方向に並ぶ配置（以下、便宜上「横型」という。）のＵＳＢ用コネクタ取りつけ部５５が設けられたホスト機器も存在する。このような配置は例えば厚さ方向のサイズが限られている場合などに多い。
【００３０】
ＵＳＢ規格では、プラグ側の大きさは１２ｍｍ（幅）×４．５ｍｍ（高さ）と定められ、プラグを取り巻く樹脂などの部分を含めたサイズで最大１６ｍｍ（幅）×８ｍｍ（高さ）と定められている。
【００３１】
一方、上記の実施形態に係る携帯機器１、１Ａの大きさについて検討すると、まずディスプレイ１１が全体としての大きさを律している。ディスプレイ１１は、表示ドットサイズや画面サイズにもよるが、最低でも２２ｍｍ程度の図示上下方向サイズが必要と考えられる。これは例えば、表示ドットピッチが０．２３ｍｍの場合、４行表示させる場合は、1文字当たり１２ドットは必要なので、行間に１ドット入れると、図示上下方向に１１．７３ｍｍとなる。これにディスプレイ１１の周辺回路領域を加えると、少なくともディスプレイ１１の図示上下方向サイズは２２ｍｍ程度となることによる。さらに、これを筐体１０に組み込むと、筐体１１として図示上下方向サイズは最低でも３０ｍｍ程度になると考えられる。
【００３２】
これは、上記説明のＵＳＢ規格における最大の幅（１６ｍｍ）を大幅に超えてしまっている。従来のメモリモジュールなどでは、内蔵部品数が少なく小型化が容易であったが、ディスプレイ１１を備えることでＵＳＢ規格をそのまま満足することは困難と考えられる。実際的に考えると、携帯機器１、１Ａとして大型化して影響が出るのは、図４（ｂ）、図４（ｃ）に示したようにホスト機器側でＵＳＢ用コネクタ４５ａ、４５ｂ（５５ａ、５５ｂ）が隣接してふたつ設けられている場合である。これは、一方に携帯機器１、１Ａを接続すると、空間的な干渉が生じ他方のＵＳＢ用コネクタ（レセプタクル）に別の機器を接続することができなくなるからである。
【００３３】
また、ノート型パソコンのように本体が薄い機器をホスト機器として使用する場合にも影響を及ぼすことが考えられる。薄型ホスト機器では例えば側面にＵＳＢ用コネクタが設けられ、接続される携帯機器１、１Ａの厚みがあると、机上にホスト機器を置いたときに携帯機器１、１Ａがこの薄型のホスト機器を支えるような形になり、ＵＳＢ用コネクタに機械的な負荷がかかってしまう。このため、コネクタ接続の信頼性に影響を及ぼすことになる。
【００３４】
以上のような考察をもって発明者らは、携帯機器１、１ＡにおけるＵＳＢ用コネクタ１３の最適配置について検討した結果、上記説明した条件を満たす位置、すなわち上記各実施形態の場合には筐体１０の四隅近辺にかつ上下方向にも偏らせて配置するのが適当であることを見出した。これは、携帯機器１、１Ａの内部構造、ＵＳＢ用コネクタ１３の接続確保の点も考慮されている。
【００３５】
各種のホスト機器を調査したところ、図４（ｂ）に示すような縦型配置のふたつのＵＳＢ用コネクタでその間隔ｗ１は約３．５ｍｍであり、図４（ｃ）示すような横型配置のふたつのＵＳＢ用コネクタでその間隔ｗ２は約５ｍｍであった。ここで一方のＵＳＢ用コネクタに携帯機器１、１Ａとは別の機器を接続しようとする場合、実際的に考えると、その接続のためのプラグを取り巻く樹脂部分などの厚みは最大で約１ｍｍ程度と見積もることができる。
【００３６】
そこで、ふたつのＵＳＢ用コネクタ４５ａ、４５ｂ（５５ａ、５５ｂ）の間に残されるスペースは縦型で最大約２．５ｍｍ、横型で最大４ｍｍとなる。よって、上記説明の実施形態に係る携帯機器１、１ＡのＵＳＢ用コネクタ１３の配置位置は、断面矩形の短辺方向にはみ出す筐体１０のはみ出し量の一方（すなわちＹ２）が２．５ｍｍ以下になり、断面矩形の長辺方向にはみ出す筐体１０のはみ出し量の一方（すなわちＸ２）が４．０ｍｍ以下になっているのがより好ましいことになる。このような制限が満足されると、好ましい態様で、ホスト機器のＵＳＢ用コネクタが縦型配置（図４（ｂ））であっても横型配置（図４（ｄ））であっても、携帯機器１、１Ａをホスト機器に接続しなおかつ他方のホスト機器側ＵＳＢ用コネクタを同時に使用することができる。
【００３７】
図５は、本発明のさらに別の実施形態に係る携帯機器の構成を示す上面図である。図５において、図１に示したものと同一の構成要素には同一番号を付してある。この実施形態に係る携帯機器１Ｂでは、ＵＳＢ用コネクタ１３Ａを図示するように９０度回転可動式にして、携帯機器１Ｂとしての縦方向からでも横方向からでもホスト機器に接続できるようにしている。これによって、ＵＳＢ用コネクタ１３Ａと筐体１０との上記関係が、コネクタ１３Ａの断面矩形長辺に対してあるいは短辺に対して満足できない場合でも、ＵＳＢ用コネクタ１３Ａの可動によりその満足できない方の条件を満足させることが可能になり、それによってホスト機器におけるＵＳＢ用コネクタの横型配置あるいは縦型配置に応じて、他方のＵＳＢ用コネクタに接続されるべき別の機器への影響を除くことができる。
【００３８】
図６は、本発明のさらに別の実施形態に係る携帯機器の構成を示す斜視図である。図６において、図１に示したものと同一の構成要素には同一番号を付してある。この実施形態に係る携帯機器１Ｃは、筐体１０Ａおよび内部構成としてＳＩＭ６１を着脱可能に搭載することができる。筐体１０ＡにはＳＩＭ６１を備えるためのスリット１５が設けられる。これによりこの携帯機器１Ｃは、ＳＩＭ６１に対するリーダ・ライタとしての機能を有する。なお、このようなリーダ・ライタは、ＵＳＢインターフェースとしてパソコンなどのアクセス権限認証に使用できるほか、規格ＩＳＯ１４４４３による非接触通信機能による近距離間通信を利用して、電子チケット、電子マネー決済等の各種非接触取引用途に使用することもできる。
【００３９】
ＳＩＭ６１は、長辺が２５ｍｍ程度、短辺が１５ｍｍ程度で全体として樹脂からなるものである。厚みは１．０ｍｍ以内（通常は０．７６ｍｍ）であり均一な薄板状とされている。複数の電極６１ａに電気的接続された板内部には、例えば接触、非接触デュアルモードのＩＣモジュールが封止される。ＳＩＭ６１の矩形一頂点部に切り欠きを有するのは、ＳＩＭ６１を携帯機器１Ｃに挿入するときを考えればわかるように、挿入方向および板面方向を識別容易にするためである。
【００４０】
携帯機器１ＣとしてＳＩＭ６１を搭載可能にしたこのような構成の場合、ディスプレイ１１がない場合を考えても、ＳＩＭ６１の短辺で１５ｍｍ程度あり、筐体１０Ａの材料厚みを１ｍｍ程度と考えれば、筐体１０Ａの図示上下方向は最低でも１７ｍｍ程度になる。これは前述のＵＳＢ規格の最大幅１６ｍｍをわずかながら超えている。また、ＳＩＭ６１の長辺側を筐体１０Ａの図示上下方向にとると、同様に考えて、筐体１０Ａの図示上下方向は最低でも２７ｍｍになる。したがって、ディスプレイ１１が存在する場合と同様に、ＵＳＢ用コネクタ１３の配置位置にはすでに説明した制限が必要である。
【００４１】
本発明に係る携帯機器は、本発明の主旨を逸脱しない範囲で種々変更が可能である。例えば、上記各実施形態ではＵＳＢ用コネクタ１３、１３Ａはプラグ型で筐体１０、１０Ａから突起しているが、使用しない時などは携帯機器１、１Ａ、１Ｂ、１Ｃの筐体１０、１０Ａ内部に押し込めるなどして収納することも可能である。
【００４２】
また、上記説明でＵＳＢコネクタ用１３、１３ＡとしていわゆるＡタイプを使用した（この点については上記では言及していない。）のは、パソコンなどのホスト機器ではすでにＡタイプのレセプタクルがＵＳＢ用コネクタとして装備されているためであり、「いつでもどこでも」というユビキタスに適合しやすいからである。ＵＳＢ規格では、携帯機器となるデバイス側のＵＳＢ用コネクタとして、Ａタイプのプラグ型のほかにミニＢタイプのレセプタクルも定められている。ミニＢタイプのレセプタクルを使用した場合、ホスト機器との接続は、ＡタイプのプラグとミニＢタイプのプラグを両端にもつケーブルを介する使用になる可能性が高い。ただし、今後の動向によってはこのようなケーブルを必要としないホスト側の対応も考えられる。
【図面の簡単な説明】
【００４３】
【図１】本発明の一実施形態に係る携帯機器の構成を示す図。
【図２】本発明の別の実施形態に係る携帯機器の構成を示す図。
【図３】図１に示した実施形態の携帯機器１の内部構成例を示す図。
【図４】現在一般に使用されているパソコンのＵＳＢ用コネクタの配置例を示す図。
【図５】本発明のさらに別の実施形態に係る携帯機器の構成を示す上面図。
【図６】本発明のさらに別の実施形態に係る携帯機器の構成を示す斜視図。
【符号の説明】
【００４４】
１，１Ａ，１Ｂ，１Ｃ…携帯機器、４…パソコン、１０，１０Ａ…筐体、１１…ディスプレイ、１２…操作ボタン、１３…ＵＳＢ用コネクタ（プラグ型）、１３Ａ…可動型ＵＳＢ用コネクタ、３１…基板、３２…電子部品、４１…ＤＶＤ／ＣＤドライブ、４２…ＦＤドライブ、４３…電源ボタン、４４…パイロットランプ、４５，５５…ＵＳＢ用コネクタ取りつけ部、４５ａ，４５ｂ，５５ａ，５５ｂ…ＵＳＢ用コネクタ（レセプタクル型）、６１…ＳＩＭ、６１ａ…電極。
【図１】
2005202564.tif 000003
【図２】
2005202564.tif 000004
【図３】
2005202564.tif 000005
【図４】
2005202564.tif 000006
【図５】
2005202564.tif 000007
【図６】
2005202564.tif 000008